(57)【要約】  マルチメディア・ポータブル・コンピュータ（６０）における取外し可能又は取外し不能なタイプの、プラズマ又は液晶マルチメディア・ディスプレイを有する、フラット・パネル・マルチメディア・ディスプレイ・システム（２１０、図１）と、マルチメディア携帯電話（４０）と、マルチメディア受信機システム（２００）とが、テレビジョン、デジタル・ラジオ、携帯電話システム、ポータブル・コンピュータ、及びその他のすべてのマルチメディア装置に対して生成されるビデオ及びオーディオ・マルチメディア情報を表示するのに使用される。新しく発明されたマルチメディア受信機システム（２００）を、マルチメディア・ポータブル・コンピュータ・システム（６０）におけるディスプレイ・システム（２１０）及びプラズマ／液晶マルチメディア・ディスプレイ・システムに接続することにより、ユーザは、いつでも、どんな場所でも、テレビジョン番組を見、ラジオを聴取し、インターネットをブラウズすることができる。
2005514879.tif 000002
【特許請求の範囲】
【請求項１】
（ａ）カメラ付き録音／再生機能の携帯電話を含むマルチメディア携帯電話システムであって、
前記マルチメディア携帯電話システムの前記カメラ付き録音／再生機能の画像及び音の記録／再生機能とは、複数の携帯電話ユーザによって画像の撮影と共に同時に操作される手段であり、
前記マルチメディア携帯電話システムの前記カメラ付き録音／再生機能が、複数の写真を撮影する能力の手段を有するカメラを前記携帯電話上に有し、
前記サウンド録音機能とは、複数のサウンドを録音することを含み、前記複数のサウンドが各画像に添付され、複数のファイル保存プロトコルを使用して前記マルチメディア携帯電話システムに格納される手段であり、
前記サウンド録音機能とは、複数のサウンドを録音することを含み、前記複数のサウンドが、複数のファイル保存プロトコルを使用して前記マルチメディア携帯電話システムに格納され、前記録音されたサウンドが再生される手段であり、
前記プロトコルとは、前記携帯電話及びマルチメディア受信機システムで使用される各画像及び録音されたサウンドについての複数のファイル保存／再生命令の手段である、
（ｂ）前記マルチメディア受信機システム及び前記マルチメディア携帯電話システムに接続される、プラズマ又はＬＣＤ又はフラット・パネルなどのディスプレイ・システムを含むマルチメディア・ディスプレイ・システムであって、
前記マルチメディア携帯電話システムによって送信された画像と音声が前記マルチメディア受信機システムで複数のデータ及び同期信号を処理することによって再生される前記画像及び前記音声は、前記マルチメディア・ディスプレイ・システムを使用して、表示する手段であって、
（ｃ）複数のテレビジョン、ラジオ、サテライト、及び前記マルチメディア・カメラ付き録音／再生機能携帯電話システムからの複数の信号を受信する受信回路を有する受信機システムを有するマルチメディア受信機システムであって、
テレビジョン／サテライト／ラジオ局からの信号を受信する複数のアンテナを有する前記受信機システムとは、前記受信機システムに対して、サテライト信号を受信するサテライト・アンテナ、テレビジョン放送信号を受信するテレビジョン・アンテナ、ラジオ信号を受信するラジオ・アンテナ、及び前記マルチメディア携帯電話システムを接続する手段であって、
前記信号がビデオ情報、オーディオ情報、及びデータ情報を含み、
前記受信機システムが、前記マルチメディア・ディスプレイ・システムに接続され、前記受信機システムが、複数の信号ケーブル及び前記コネクタを使用して前記ディスプレイ・システムに接続され、
前記受信機システムを前記ディスプレイ・システムに接続することにより、前記マルチメディア・システムの前記ディスプレイ・システム上に複数のビデオを表示し、前記受信機システム上のスピーカを使用して複数の前記オーディオ・サウンドを生成する、マルチメディア受信機システムと
を備えるマルチメディア・システム。
【請求項２】
前記マルチメディア・カメラ付き録音／再生機能携帯電話システムがさらに、
（ａ）前記携帯電話システムによって撮影された画像及び録音されたサウンドが前記携帯電話内の複数のファイル保存プロトコルを使用してファイル・システムに格納される複数のファイル記憶装置であって、
各画像が、添付された関連するサウンドを有し、前記ファイル保存プロトコルも前記ファイルと共に添付され、
前記プロトコルとは、前記携帯電話システム及び前記マルチメディア受信機内の各画像及び録音されたサウンドについての複数のファイル保存／再生命令の手段であって、
（ｂ）前記格納されたファイルが前記携帯電話ユーザによって前記携帯電話を使用して別の前記携帯電話と前記マルチメディア受信機システムとに送信される複数の送信機能と、
（ｃ）前記マルチメディア・カメラ付き録音／再生機能携帯電話システム中に格納された複数のファイルが別のマルチメディア・カメラ付き録音／再生機能携帯電話システムと、前記マルチメディア受信機システムとによって受信される複数の受信機能であって、
前記受信された画像及びサウンドが、前記マルチメディア受信機システム及び前記プロトコルに従って再生され、
前記プロトコルは、前記マルチメディア受信機システムの複数の読取り専用メモリに格納される、
（ｄ）前記携帯電話上の複数のコネクタとは、複数のケーブルを使用して前記マルチメディア携帯電話システムを前記マルチメディア受信機システムに接続する手段であり、前記マルチメディア携帯電話システムから前記マルチメディア受信機システムに複数の保存した画像及び録音したサウンド・ファイル信号を送信する、
を備えた請求項１に記載のマルチメディア・システム。
【請求項３】
前記マルチメディア受信機システムが、
（ａ）複数のテレビジョン局、ラジオ局、及びサテライト放送局によって送信された複数の信号を受信する複数の入力回路であって、
前記入力回路が、無線周波数増幅器、局部発振器、ミキサ、中間周波数増幅器、及びビデオ検出器からなり、
前記ビデオ検出器が、前記送信された信号を複数のビデオ／オーディオ／同期信号に分割し、
前記信号とは、複数のビデオ／オーディオ／データ情報を有する、
（ｂ）前記携帯電話局によって送信された複数の信号を受信するマルチメディア携帯電話入力回路を有する、
前記携帯電話入力回路が、ビデオ・コネクタ及びビデオ検出器からなり、
前記マルチメディア携帯電話とは、カメラ及び録音／再生機能を有する手段であり、
前記信号は複数のビデオ／オーディオ／データ情報、前記ファイル、及び前記プロトコルを有し、
前記プロトコルとは、前記携帯電話によって与えられる複数のファイル保存／再生命令を有する手段であって、
（ｃ）前記送信された信号を処理する複数の信号処理回路であって、複数の前記送信された信号フォーマットを別の信号フォーマットに再フォーマットする手段とは、複数の信号処理回路を使用して前記送信された信号を処理する事であって、
前記信号処理回路とは、複数の輝度／色処理回路を使用する、信号処理回路手段と、
（ｄ）複数の同期セパレータ回路を有する事は、複数の前記送信された信号を複数の同期信号に処理する手段であり、
前記同期信号処理とは、同期セパレータ及びその出力回路を使用して水平／垂直信号フォーマットに処理する手段であり、
前記同期セパレータ回路とは、前記信号を水平／垂直ｓｙｎｃ同期信号に分離する手段であり、
（ｅ）前記信号をフラット・パネル・ディスプレイ・システム互換信号フォーマットに処理する複数のデジタル変換回路であって、
前記フラット・パネル・ディスプレイ・システム互換信号フォーマットとは、デジタル変換回路を使用することによって変換される複数のデジタル信号フォーマットの手段であり、
前記デジタル変換回路とは、エンコーダ、中央演算処理装置、複数の読取り専用／ランダム・アクセス・メモリ、複数のビデオ・グラフィック・コントローラ、及び複数のバッファを使用することによってアナログ信号をデジタル信号に変換する手段であり、
（ｆ）前記信号を処理する複数の出力回路とは、前記ディスプレイ・システムに対して互換性信号の出力信号を有する手段であり、
前記出力信号とは、複数のドライバ及びｓｙｎｃ出力回路を使用して、前記信号を増幅するように処理される手段であり、
（ｇ）コネクタを有するとは、マルチメディア携帯電話システムを前記ビデオ検出器に接続して、複数のビデオ／オーディオ／データ信号を得る手段であり、
（ｈ）電力回路を有するとは、複数の電力を前記受信機システム及び前記ディスプレイ・システムに供給する手段であり、
前記電源回路が、前記受信機システム及び前記ディスプレイ・システムを操作するために、交流電力を直流に変換し、そして直流を直流に変換し、さらに、複数の電池を充電する電池充電回路からなる、電力回路と
を備える請求項１に記載のマルチメディア・システム。
【請求項４】
（ａ）キーボード、液晶ディスプレイ・システム、及び中央演算処理装置を有するポータブル・コンピュータを含むマルチメディア・コンピュータ・システムであって、
前記ディスプレイ・システムが、複数の第１コネクタと、マルチメディア受信機システムを接続するための複数の第２コネクタとを有し、
前記ディスプレイ・システムが、プラズマ・ディスプレイ／フラット・パネル液晶ディスプレイなどのディスプレイ・システムであり、前記ディスプレイ・システム内の前記第２コネクタに接続された信号受信回路及び画面表示回路を有し、
前記ディスプレイ・システムが取外し可能であり、前記中央演算処理装置から前記ディスプレイ・システムは取り外され、前記取り外されたディスプレイが、前記第１コネクタを使用して再度接続可能である、ポータブル・コンピュータと、
（ｂ）複数のテレビジョン、ラジオ、サテライト、及び前記マルチメディア・カメラ付き録音／再生機能携帯電話システムから複数の信号を受信する受信回路を有する受信機システムを含むマルチメディア受信機システムであって、
前記受信機システムが、テレビジョン／サテライト／ラジオ局から信号を受信する複数のアンテナを有し、サテライト信号を受信するためにサテライト・アンテナを、テレビジョン放送信号を受信するためにテレビジョン・アンテナを、ラジオ信号を受信するためにラジオ・アンテナを接続し、前記携帯電話を前記受信機システムに接続し、
前記信号が、ビデオ／オーディオ／およびデータ情報を有し、
前記受信機システムが、前記マルチメディア・ディスプレイ・システムに接続される手段とは、前記受信機システムが、複数の信号ケーブル及び前記第２コネクタを使用して、前記取り外されたマルチメディア・ディスプレイ・システムに接続され、
前記受信機システムを前記取り外されたマルチメディア・ディスプレイ・システムに接続し、前記マルチメディア・システムの前記取り外されたマルチメディア・ディスプレイ・システム上に複数のビデオを表示し、前記受信機システム上のスピーカを使用して複数のオーディオ・サウンドを生成する、マルチメディア受信機システムと、
（ｃ）複数の信号ケーブルを使用することによって前記携帯電話を前記受信機システムに接続するコネクタを有するマルチメディア携帯電話であって、
前記マルチメディア受信機システムに接続される前記携帯電話が、前記マルチメディア・システムの前記取り外されたマルチメディア・ディスプレイ・システム上に複数のインターネット・コンテンツを表示する、マルチメディア携帯電話と
を備えるマルチメディア・システム。
【請求項５】
前記マルチメディア受信機システムが、
（ａ）複数のテレビジョン局、ラジオ局、及びサテライト放送局によって送信された複数の信号を受信する複数の入力回路であって、
前記入力回路が、無線周波数増幅器、局部発振器、ミキサ、中間周波数増幅器、及びビデオ検出器からなり、
前記ビデオ検出器が、前記送信された信号を複数のビデオ／オーディオ／同期信号に分割し、
前記信号とは複数のビデオ／オーディオ／データ情報を有する、
（ｂ）前記携帯電話局によって送信された複数の信号を受信するマルチメディア携帯電話入力回路であって、
前記携帯電話入力回路が、ビデオ・コネクタ及びビデオ検出器からなり、
前記マルチメディア携帯電話とは、カメラ及び録音／再生機能を有する手段であり、
前記信号が複数のビデオ／オーディオ／データ情報、前記ファイル、及び前記プロトコルを有し、
前記プロトコルの手段とは、前記携帯電話によって与えられる複数のファイル保存／再生命令を有する手段であり、
（ｃ）前記送信された信号を処理する複数の信号処理回路であって、複数の前記送信された信号フォーマットを別の信号フォーマットに再フォーマットする手段とは、複数の信号処理回路を使用して前記送信された信号を処理する事であり、
前記信号処理回路とは、複数の輝度／色処理回路を使用する、信号処理回路の手段と、
（ｄ）複数の同期セパレータ回路を有する事は、複数の前記送信された信号を複数の同期信号に処理する手段であり、
前記同期信号処理とは、同期セパレータ及びその出力回路を使用して水平／垂直信号フォーマットに処理する手段であり、
前記同期セパレータ回路とは、前記信号を前記水平／垂直ｓｙｎｃ同期信号に分離する手段であり、
（ｅ）前記信号をフラット・パネル・ディスプレイ・システム互換信号フォーマットに処理する複数のデジタル変換回路であって、
前記フラット・パネル・ディスプレイ・システム互換信号フォーマットとは、デジタル変換回路を使用することによって変換される複数のデジタル信号フォーマットを有する手段であり、
前記デジタル変換回路とは、エンコーダ、中央演算処理装置、複数の読取り専用／ランダム・アクセス・メモリ、複数のビデオ・グラフィック・コントローラ、及び複数のバッファを使用することによってアナログ信号をデジタル信号に変換する手段であり、
（ｆ）前記信号を処理する複数の出力回路とは、前記ディスプレイ・システムに対して互換性信号の出力信号を有する事を含み、
前記出力信号とは、複数のドライバ及びｓｙｎｃ出力回路を使用して、前記信号を増幅するように処理される手段であり、
（ｇ）コネクタを有するとは、マルチメディア携帯電話システムを前記ビデオ検出器に接続して、複数のビデオ／オーディオ／データ信号を得る手段であり、
（ｈ）電力回路を有するとは、複数の電力を前記受信機システム及び前記ディスプレイ・システムに供給する手段であり、
前記電源回路が、前記受信機システム及び前記ディスプレイ・システムを操作するために、交流電力を直流に変換し、直流を直流に変換し、さらに、複数の電池を充電する電池充電回路からなる、電力回路と
を備える請求項４に記載のマルチメディア・システム。
【請求項６】
前記マルチメディア携帯電話がさらに、
（ａ）カメラ付き録音／再生機能の携帯電話を含む前記マルチメディア携帯電話システムであって、
前記マルチメディア携帯電話システムの前記カメラ付き録音／再生機能の、画像及び音の記録／再生機能とは、複数の携帯電話ユーザによって画像の撮影と共に同時に操作される手段であり、
前記マルチメディア携帯電話システムの前記カメラ付き録音／再生機能とは、複数の写真を撮影する能力の手段を有するカメラを前記携帯電話上に有し、
前記サウンド録音機能が複数のサウンドを録音し、前記複数のサウンドが、各画像に添付され、そして複数のファイル保存プロトコルを使用して前記マルチメディア携帯電話システムに格納され、
前記サウンド録音機能とは、複数のサウンドを録音し、前記複数のサウンドが、複数のファイル保存プロトコルを使用して前記マルチメディア携帯電話システムに格納され、そして前記録音されたサウンドが再生される、
前記プロトコルとは、前記携帯電話及びマルチメディア受信機システムで使用される各画像及び録音されたサウンドについての複数のファイル保存／再生命令を含む手段であり、
（ｂ）前記携帯電話システムによって撮影された画像及び録音されたサウンドが前記携帯電話内の複数のファイル保存プロトコルを使用してファイル・システムに格納される複数のファイル記憶であって、
各画像が、添付された関連するサウンドを有し、前記ファイル保存プロトコルも前記ファイルと共に添付され、
前記プロトコルとは、前記携帯電話システム及び前記マルチメディア受信機内の各画像及び録音されたサウンドについての複数のファイル保存／再生命令の手段であり、
（ｃ）前記格納されたファイルは携帯電話ユーザによって前記携帯電話を使用して別の前記携帯電話と前記マルチメディア受信機システムとに送信される複数の送信機能と、
（ｄ）前記格納されたファイルが前記携帯電話と前記マルチメディア受信機システムとによって受信される複数の受信機能であって、
前記受信された画像及びサウンドが、前記マルチメディア受信機システム及び前記プロトコルに従って再生され、
前記プロトコルは、前記マルチメディア受信機システムの複数の読取り専用メモリに格納され、
（ｅ）前記携帯電話上の複数のコネクタとは、複数のケーブルを使用して前記マルチメディア携帯電話システムを前記マルチメディア受信機システムに接続する手段であり、前記マルチメディア携帯電話システムから前記マルチメディア受信機システムに複数の保存した画像及び録音したサウンド・ファイル信号を送信する、
を備える請求項４に記載のマルチメディア・システム。
【請求項７】
（ａ）キーボード、液晶ディスプレイ・システム、及び中央演算処理装置を有するポータブル・コンピュータを含むマルチメディア・コンピュータ・システムであって、
前記ディスプレイ・システムが、前記ディスプレイ・システム上に複数のコネクタを有し、
前記コネクタとは、前記ディスプレイ・システムを前記マルチメディア受信機システムに接続する手段であり、
前記ディスプレイ・システムはプラズマ・ディスプレイ／フラット・パネル液晶ディスプレイ等のディスプレイ・システムを含み、前記ディスプレイ・システム内の前記コネクタに接続された複数の信号受信回路及び画面表示回路を有し、
前記ポータブル・コンピュータとは、複数の入力回路を有し、前記中央演算処理装置又は前記受信機システムから送られた複数の信号を受け取るようにトグルする手段を有する、
（ｂ）受信機システムを含むマルチメディア受信機システムとは、複数のテレビジョン、ラジオ、サテライト、及び前記マルチメディア・カメラ付き録音／再生機能携帯電話システムからの複数の信号を受信する受信回路を有する手段であり、
テレビジョン／サテライト／ラジオ局からの信号を受信する複数のアンテナを有する前記受信機システムとは、サテライト信号を受信するサテライト・アンテナ、テレビジョン放送信号を受信するテレビジョン・アンテナ、及びラジオ信号を受信するラジオ・アンテナを接続する手段と及び前記携帯電話システムを前記受信機システムに接続する事であり、
前記信号がビデオ情報、オーディオ情報、及びデータ情報を有し、
前記受信機システムが、前記マルチメディア・ディスプレイ・システムに接続されるとは、前記受信機システムが、複数の信号ケーブル及び前記コネクタを使用して前記ディスプレイ・システムに接続される手段であり、
前記受信機システムを前記ディスプレイ・システムに接続することにより、前記マルチメディア・システムの前記ディスプレイ・システム上に複数のビデオを表示し、前記受信機システム上のスピーカを使用して複数の前記オーディオ・サウンドを生成するマルチメディア受信機システムと、
（ｃ）コネクタを有するマルチメディア携帯電話とは、複数の信号ケーブルを使用することによって前記携帯電話を前記受信機システムに接続する手段であり、
前記マルチメディア受信機システムに接続される前記携帯電話とは、前記マルチメディア・システムの前記取り外されたマルチメディア・ディスプレイ・システム上に複数のインターネット・コンテンツを表示するマルチメディア携帯電話とを備えるマルチメディア・システム。
【請求項８】
前記マルチメディア受信機システムが、
（ａ）複数のテレビジョン局、ラジオ局、及びサテライト放送局によって送信された複数の信号を受信する複数の入力回路であって、
前記入力回路が、無線周波数増幅器、局部発振器、ミキサ、中間周波数増幅器、及びビデオ検出器からなり、
前記ビデオ検出器が、前記送信された信号を複数のビデオ／オーディオ／同期信号に分割し、
前記信号とは、複数のビデオ／オーディオ／データ情報を有する、
（ｂ）前記携帯電話局によって送信された複数の信号を受信するマルチメディア携帯電話入力回路であって、
前記携帯電話入力回路が、ビデオ・コネクタ及びビデオ検出器からなり、
前記マルチメディア携帯電話とは、カメラ及び録音／再生機能を有する手段であり、
前記信号が複数のビデオ／オーディオ／データ情報、前記ファイル、及び前記プロトコルを有し、
前記プロトコルの手段とは、前記携帯電話によって与えられる複数のファイル保存／再生命令を有する手段であり、
（ｃ）前記送信された信号を処理する複数の信号処理回路であって、複数の前記送信された信号フォーマットを別の信号フォーマットに再フォーマットする手段とは、複数の信号処理回路を使用して前記送信された信号を処理する事であって、
前記信号処理回路とは、複数の輝度／色処理回路を使用する、信号処理回路の手段と、
（ｄ）複数の同期セパレータ回路を有する事は、複数の前記送信された信号を複数の同期信号に処理する手段であり、
前記同期信号処理とは、同期セパレータ及びその出力回路を使用して水平／垂直信号フォーマットに処理する手段であり、
前記同期セパレータ回路とは、前記信号を水平／垂直ｓｙｎｃ同期信号に分離するする手段であり、
（ｅ）前記信号をフラット・パネル・ディスプレイ・システム互換信号フォーマットに処理する複数のデジタル変換回路であって、
前記フラット・パネル・ディスプレイ・システム互換信号フォーマットとは、デジタル変換回路を使用することによって変換される複数のデジタル信号フォーマットの手段であり、
前記デジタル変換回路とは、エンコーダ、中央演算処理装置、複数の読取り専用／ランダム・アクセス・メモリ、複数のビデオ・グラフィック・コントローラ、及び複数のバッファを使用することによってアナログ信号をデジタル信号に変換する手段であり、
（ｆ）前記信号を処理する複数の出力回路とは、前記ディスプレイ・システムに対して互換性信号の出力信号を有する事を含み、
前記出力信号とは、複数のドライバ及びｓｙｎｃ出力回路を使用して、前記信号を増幅するように処理される手段であり、
（ｇ）コネクタを有するとは、マルチメディア携帯電話システムを前記ビデオ検出器に接続して、複数のビデオ／オーディオ／データ信号を得る手段であり、
（ｈ）電力回路を有するとは、複数の電力を前記受信機システム及び前記ディスプレイ・システムに供給する手段であり、
前記電源回路が、前記受信機システム及び前記ディスプレイ・システムを操作するために、交流電力を直流に変換し、直流を直流に変換し、さらに、複数の電池を充電する電池充電回路からなる電力回路とを備える、請求項７に記載のマルチメディア・システム。
【請求項９】
前記ポータブル・マルチメディア・コンピュータ・システムがさらに、
（ａ）キーボード、液晶ディスプレイ・システム、及び中央演算処理装置を有する前記ポータブル・コンピュータであって、
前記ディスプレイ・システムが、前記ディスプレイ・システム上に複数のコネクタを有し、
前記コネクタとは、前記ディスプレイ・システムを前記マルチメディア受信機システムに接続する手段であり、
前記ディスプレイ・システムはプラズマ・ディスプレイ／フラット・パネル液晶ディスプレイなどのディスプレイ・システムを含み、前記ディスプレイ・システム内の前記コネクタに接続された複数の信号受信回路及び画面表示回路を有し、
前記ポータブル・コンピュータが、複数の信号入力回路を有し、前記中央演算処理装置又は前記受信機システムから送られた複数の信号を受け取るようにトグルするポータブル・コンピュータと、
（ｂ）前記ポータブル・コンピュータとは前記ポータブル・コンピュータをインターネットに接続し、前記マルチメディア受信機システムを使用して放送局データ・センタにアクセスするする手段であり、放送データ・センタにアクセスする事とは、前記テレビジョン番組及び前記ラジオ番組に関する、時間、番組名、放送時間の長さなどの複数の放送情報を得る手段である、
を備える請求項７に記載のマルチメディア・システム。
【請求項１０】
前記マルチメディア携帯電話システムがさらに、
（ａ）カメラ付き録音／再生機能携帯電話を有する前記マルチメディア携帯電話システムであって、
前記マルチメディア携帯電話システムの前記カメラ付き録音／再生機能の画像及び録音／再生機能とは、複数の携帯電話ユーザによって画像と撮影の撮影と共に同時に操作される手段、前記マルチメディア携帯電話システムの前記カメラ付き録音／再生機能が、複数の写真を撮影する能力を有するカメラを前記携帯電話上に有し、
前記サウンド録音機能が複数のサウンドを録音し、前記複数のサウンドが各画像に添付され、複数のファイル保存プロトコルを使用して前記マルチメディア携帯電話システムに格納され、
前記サウンド録音機能が複数のサウンドを録音し、前記複数のサウンドが、複数のファイル保存プロトコルを使用して前記マルチメディア携帯電話システムに格納され、前記録音されたサウンドが再生され、
前記プロトコルとは、各画像及び録音されたサウンドを格納する複数のファイル保存／再生命令の手段であり、
（ｂ）前記携帯電話システムによって撮影された画像及び録音されたサウンドが前記携帯電話内の複数のファイル保存プロトコルを使用してファイル・システムに格納されるファイル記憶であって、
各画像が、添付された関連するサウンドを有し、前記ファイル保存プロトコルも前記ファイルと共に添付され、
前記プロトコルとは、前記携帯電話システム及び前記マルチメディア受信機内の各画像及び録音されたサウンドについての複数ファイル保存／再生命令の手段であり、
（ｃ）前記格納されたファイルが携帯電話ユーザによって前記携帯電話を使用して別の前記携帯電話と前記マルチメディア受信機システムとに送信される複数の送信機能と、
（ｄ）前記格納されたファイルが前記携帯電話と前記マルチメディア受信機システムとによって受信される複数の受信機能であって、
前記受信された画像及びサウンドが、前記マルチメディア受信機システム及び前記プロトコルに従って再生され、
前記プロトコルは、前記マルチメディア受信機システムの複数の読取り専用メモリに格納される、
（ｅ）前記携帯電話の複数のコネクタとは、複数のケーブルを使用して前記マルチメディア携帯電話システムを前記マルチメディア受信機システムに接続する手段であり前記マルチメディア携帯電話システムから前記マルチメディア受信機システムに、複数の保存した画像及び録音したサウンド・ファイル信号を送信する、
を備える請求項７に記載のマルチメディア・システム。
【請求項１１】
（ａ）前記マルチメディア携帯電話システムとはカメラ付き録音／再生機能携帯電話であって、
前記マルチメディア携帯電話システムの前記カメラ付き録音／再生機能の
画像及び録音／再生機能とは、複数の携帯電話ユーザによって画像の撮影と共に同時に操作される手段、
前記マルチメディア携帯電話システムの前記カメラ付き録音／再生機能が、複数の写真を撮影する能力を有するカメラを前記携帯電話上に有し、
前記サウンド録音機能が複数のサウンドを録音し、前記複数のサウンドが各画像に添付され、複数のファイル保存プロトコルを使用して前記マルチメディア携帯電話システムに格納され、
前記サウンド録音機能が複数のサウンドを録音し、前記複数のサウンドが、複数のファイル保存プロトコルを使用して前記マルチメディア携帯電話システムに格納され、前記録音されたサウンドが再生され、
前記プロトコルとは、各画像及び録音されたサウンドを格納する複数のファイル保存／再生命令の手段であって、
（ｂ）前記携帯電話システムによって撮影された画像及び録音されたサウンドが前記携帯電話内の複数のファイル保存プロトコルを使用してファイル・システムに格納されるファイル記憶であって、
各画像が、添付された関連するサウンドを有し、前記ファイル保存プロトコルも前記ファイルと共に添付され、
前記プロトコルとは、前記マルチメディア携帯電話システム及び前記マルチメディア受信機内の各画像及び録音されたサウンドについての複数のファイル保存／再生命令の手段であって、
（ｃ）前記格納されたファイルが携帯電話ユーザによって前記携帯電話を使用して別の前記携帯電話と前記マルチメディア受信機システムとに送信される複数の送信機能と、
（ｄ）前記格納されたファイルが前記携帯電話と前記マルチメディア受信機システムとによって受信される複数の受信機能であって、
前記受信された画像及びサウンドが、前記マルチメディア受信機システム及び前記プロトコルに従って再生され、
前記プロトコルは、前記マルチメディア受信機システムの複数の読取り専用メモリに格納される、
（ｅ）前記携帯電話の複数のコネクタとは、複数のケーブルを使用して前記マルチメディア携帯電話システムを前記マルチメディア受信機システムに接続する手段であり、前記マルチメディア携帯電話システムから前記マルチメディア受信機システムに複数の保存した画像及び録音したサウンド・ファイル信号を送信する、
を備えるマルチメディア携帯電話システム。
【請求項１２】
（ａ）複数のテレビジョン局、ラジオ局、及びサテライト放送局によって送信された複数の信号を受信する複数の入力回路であって、
前記入力回路が、無線周波数増幅器、局部発振器、ミキサ、中間周波数増幅器、及びビデオ検出器からなり、
前記ビデオ検出器が、前記送信された信号を複数のビデオ／オーディオ／同期信号に分割し、
前記信号とは、複数のビデオ／オーディオ／データ情報を有する、
（ｂ）前記携帯電話局によって送信された複数の信号を受信するマルチメディア携帯電話入力回路であって、
前記携帯電話入力回路が、ビデオ・コネクタ及びビデオ検出器からなり、
前記マルチメディア携帯電話とは、カメラ及び録音／再生機能を有する手段であり、
前記信号が複数のビデオ／オーディオ／データ情報、ファイル、及びプロトコルを有し、
前記プロトコルとは、前記携帯電話によって与えられる複数のファイル保存／再生命令を有する手段であり、
（ｃ）前記送信された信号を処理する複数の信号処理回路であって、複数の前記送信された信号フォーマットを別の信号フォーマットに再フォーマットする手段とは、複数の信号処理回路を使用して前記送信された信号を処理する事であり、
前記信号処理回路とは、複数の輝度／色処理回路を使用する、信号処理回路の手段と、
（ｄ）複数の同期セパレータ回路を有する事は、複数の前記送信された信号を複数の同期信号に処理する手段であり、
前記同期信号処理とは、同期セパレータ及びその出力回路を使用して水平／垂直信号フォーマットに処理する手段であり、
前記同期セパレータ回路とは、前記信号を前記水平／垂直ｓｙｎｃ同期信号に分離する手段であり、
（ｅ）前記信号をフラット・パネル・ディスプレイ・システム互換信号フォーマットに処理する複数のデジタル変換回路であって、
前記フラット・パネル・ディスプレイ・システム互換信号フォーマットとは、前記デジタル変換回路を使用することによって変換される複数のデジタル信号フォーマットを有する手段であり、
前記デジタル変換回路とは、エンコーダ、中央演算処理装置、複数の読取り専用／ランダム・アクセス・メモリ、複数のビデオ・グラフィック・コントローラ、及び複数のバッファを使用することによってアナログ信号をデジタル信号に変換する手段であり、
前記フラット・パネル・ディスプレイ・システムは、前記マルチメディア受信機システムに接続し、前記マルチメディア受信機システムから複数のビデオ／オーディオ／データ信号を受信するための複数の独立な別々のコネクタを有する、
（ｆ）前記信号を処理する複数の出力回路とは、前記ディスプレイ・システムに対して互換性信号の出力信号を有する事を含み、
前記出力信号とは、複数のドライバ及びｓｙｎｃ出力回路を使用して、前記信号を増幅するように処理される手段であり、
（ｇ）コネクタを有するとは、前記マルチメディア携帯電話システムを前記ビデオ検出器に接続して、複数のビデオ／オーディオ／データ信号を得る手段であり、
（ｈ）電力回路を有するとは、複数の電力を前記受信機システム及び前記ディスプレイ・システムに供給する手段であり、
前記電源回路が、前記受信機システム及び前記ディスプレイ・システムを操作するために、交流電力を直流に変換し、直流を直流に変換し、さらに、複数の電池を充電する電池充電回路からなる電力回路とを備える、
マルチメディア受信機システム。
【請求項１３】
（ａ）キーボード、液晶ディスプレイ・システム、及び中央演算処理装
置を有するポータブル・コンピュータであって、
前記ディスプレイ・システムが、前記ディスプレイ・システム上に複数のコネクタを有し、
前記コネクタとは、前記ディスプレイ・システムを前記マルチメディア受信機システムに接続する手段であり、
前記ディスプレイ・システムがプラズマ・ディスプレイ／フラット・パネル液晶ディスプレイなどのディスプレイ・システムを含み、前記ディスプレイ・システム内の前記コネクタに接続された複数の信号受信回路及び画面表示回路を有し、
前記ポータブル・コンピュータが、複数の入力回路を有し、前記中央演算処理装置又は前記受信機システムから送られた複数の信号を受け取るようにトグルするポータブル・コンピュータと、
（ｂ）前記ポータブル・コンピュータをインターネットに接続する事とは、前記マルチメディア受信機システムを使用して放送局データ・センタにアクセスする手段であり、  放送データ・センタにアクセスすることにより、前記テレビジョン番組及び前記ラジオ番組に関する、時間、番組名、放送時間の長さなどの複数の放送情報が得られる、ポータブル・コンピュータと
を備えるマルチメディア・コンピュータ・システム。
【請求項１４】
（ａ）キーボード、液晶ディスプレイ・システム、及び中央演算処理装置を有するポータブル・コンピュータを含む前記マルチメディア・コンピュータ・システムであって、
前記ディスプレイ・システムが、複数の第１コネクタと、前記マルチメディア受信機システムを接続するための第２コネクタとを有し、
前記ディスプレイ・システムの前記第１コネクタとは、前記第１コネクタを前記中央演算処理ユニットへ接続する手段であって、
前記ディスプレイ・システムがプラズマ・ディスプレイ／フラット・パネル液晶ディスプレイなどのディスプレイ・システムを含み、前記ディスプレイ・システム内の前記第２コネクタに接続された信号受信回路及び画面表示回路を有し、
前記ディスプレイ・システムが取外し可能であり、前記中央演算処理ユニットから前記ディスプレイ・システムを取り外し、前記取り外されたディスプレイが、前記第１コネクタを使用して再度接続可能である、ポータブル・コンピュータを備える、マルチメディア・コンピュータ・システム。
【発明の詳細な説明】
【関連出願の相互参照】
【０００１】
本発明は、本発明者の同時係属の２００２年３月１９日出願のＭｕｌｔｉｍｅｄｉａ  Ｄｉｓｐｌａｙ  Ｓｙｓｔｅｍ  Ｕｓｉｎｇ  Ｄｉｓｐｌａｙ  Ｕｎｉｔ  ｏｆ  Ｐｏｒｔａｂｌｅ  Ｃｏｍｐｕｔｅｒ，ａｎｄ  Ｓｉｇｎａｌ  Ｒｅｃｅｉｖｅｒ  ｆｏｒ  Ｔｅｌｅｖｉｓｉｏｎ，Ｒａｄｉｏ，ａｎｄ  Ｃｅｌｌｕｌａｒ  Ｔｅｌｅｐｈｏｎｅに関する米国実用特許出願第１０／１００，６４３号に基づき、かつその一部継続出願であり、その実用特許出願は、２００１年１２月３１日出願の米国仮特許出願第６０／３４５，９２６号に基づく。
【技術分野】
【０００２】
本発明は、ポータブル・コンピュータ・システムの液晶ディスプレイを使用するマルチメディア・エンターテイメント・システムに関し、カメラ付き録音／再生機能携帯電話及びスタンドアロン・プラズマ／液晶ディスプレイなどを使用するマルチメディア・エンターテイメント・システムに関する。
【０００３】
他の参考文献
「Ｄｉｓｐｌａｙ  Ｔｅｃｈｎｏｌｏｇｉｅｓ」、Ｐａｔｒｉｃｋ  Ｄｕｎｎ、Ｄｅｌｌ  Ｃｏｒｐｏｒａｔｉｏｎ、１９９９年７月、Ｄｅｌｌ  Ｃｏｒｐｏｒａｔｉｏｎ発行
「Ｂａｓｉｃ  Ｔｅｌｅｖｉｓｉｏｎ  ａｎｄ  Ｖｉｄｅｏ  Ｓｙｓｔｅｍｓ  Ｓｉｘｔｈ  Ｅｄｉｔｉｏｎ」、Ｇｒｏｂ  Ｈｅｒｎｄｏｎ  Ｇｌｅｎｃｏｅ、ＭｃＧｒａｗ−Ｈｉｌｌ発行
「ＨＤＴＶ  Ｈｉｇｈ−Ｄｅｆｉｎｉｔｉｏｎ  Ｔｅｌｅｖｉｓｉｏｎ」、Ｓｔａｎ  Ｐｒｅｎｔｉｓｓ、ＴＡＢ  ＢＯＯＫＳ  Ｉｎｃ．発行
「Ｐｒａｃｔｉｃａｌ  ＡＮＴＥＮＮＡ  Ｈａｎｄｂｏｏｋ  Ｓｅｃｏｎｄ  Ｅｄｉｔｉｏｎ」、Ｊｏｓｅｐｈ  Ｊ．Ｃａｒｒ、ＴＡＢ  ＢＯＯＫＳ  Ｉｎｃ．発行
「Ｇｕｉｄｅ  ｔｏ  Ｓａｔｅｌｌｉｔｅ  Ｔｅｃｈｎｏｌｏｇｙ」、Ｊｏｈｎ  Ａ．Ｒｏｓｓ、Ｐｒｏｍｐｔ  Ｐｕｂｌｉｃａｔｉｏｎ発行
「Ｔｈｅ  Ｒａｄｉｏ  Ｓｔａｔｉｏｎ，Ｓｅｃｏｎｄ  Ｅｄｉｔｉｏｎ」、Ｍｉｃｈａｅｌ  Ｃ．Ｋｅｉｔｈ／Ｊｏｓｅｐｈ  Ｍ．、Ｆｏｃａｌ  Ｐｒｅｓｓ発行
「Ｍｉｃｒｏｗａｖｅｓ  ａｎｄ  Ｗｉｒｅｌｅｓｓ  Ｓｉｍｐｌｉｆｉｅｄ」、Ｔｈｏｍａｓ  Ｓ．Ｌａｖｅｒｇｈｅｔｔａ、Ａｒｔｅｃｈ  Ｈｏｕｓｅ発行
「Ｍｉｃｒｏｗａｖｅ  Ｅｎｇｉｎｅｅｒｉｎｇ  ａｎｄ  Ｓｙｓｔｅｍｓ  Ａｐｐｌｉｃａｔｉｏｎ」、Ｅｄｗａｒｄ  Ａ．Ｗｏｌｆｆ／Ｒｏｇｅｒ  Ｋａｕｌ、Ｊｏｈｎ  Ｗｉｌｅｙ  ＆  Ｓｏｎｓ発行
【背景技術】
【０００４】
Ｄｅｌｌ  Ｃｏｒｐｏｒａｔｉｏｎのウェブ・サイトから入手可能なＤｅｌｌ  ＣｏｒｐｏｒａｔｉｏｎのＰａｔｒｉｃｋ  Ｄｕｎｎによって書かれた白書によれば、アクティブ・マトリックス液晶ディスプレイ（ＡＭＬＣＤ）を有するポータブル・コンピュータは非常に普及している。ＩｎｔｅｌとＡＭＤ  ｃｏｒｐｏｒａｔｉｏｎが互いに、限られた物理空間内により多くのトランジスタを詰め込むことによってより高速かつ良好なＣＰＵを開発することを競っているので、ポータブル・コンピュータのＣＰＵの処理能力も年々高くなっている。こうした先進の機能にもかかわらず、平均的な消費者は、こうした高性能ポータブル・コンピュータに対してより多くの機能を望む。
【０００５】
過去においては、取外し可能／取外し不能ディスプレイ・システムを有するポータブル・コンピュータに関して多くの発明が許可された。しかし、こうした特許のいずれも本発明には関連しない。さらに、こうした発明の真の価値は、真に使用可能な装置の欠如のために、消費者には渡っていない。
【０００６】
過去１０年程の間、携帯電話の技術は我々のライフ・スタイルを変化させてきたし、将来においても携帯電話装置の使用は引き続き増大するであろう。
【発明の開示】
【発明が解決しようとする課題】
【０００７】
近年になって、新しい携帯電話が導入された。こうした携帯電話は、携帯電話上に取り付けられたカメラを有する。呼出し元は写真を撮影し、それをマルチメディア携帯電話受信機に送信することができるが、一部の製品では、電話ユーザ間で写真を交換することがまったくできない。いずれにしても、この新しい技術により、写真を撮影する我々のライフ・スタイルがやがて変化することになる。しかし、現在入手可能なカメラ付き携帯電話は、呼出し元の音声が添付された画像を送信することができない。録音した音声と共に画像を送信側に送信して、画像を閲覧し呼出し元の声を聴ければ良いことである。しかし、録音／再生機能を備えるカメラ付き携帯電話は存在しない。
【０００８】
さらに、こうしたカメラ付き携帯電話によって撮影された画像は、閲覧するには小さすぎる。大きいサイズのデジタル画像を撮影するデジタル・カメラ技術が利用可能であり、同じ技術をこうしたカメラ付き携帯電話に適用することができる。問題は、受信機側にある。録音されたサウンドが添付されたこうした大きい画像を送信すると、こうしたファイルを閲覧するのに新しい閲覧装置が必要である。そのような携帯電話は現在入手不可能であるからである。さらに、現在の携帯電話の大部分の閲覧サイズは、受信した画像を閲覧するには小さ過ぎ、かつこうしたカメラ付き携帯電話上にはサウンド生成機構が存在しない。
【０００９】
したがって、本特許に記載の取外し可能／取外し不能ディスプレイ・システム又は任意のプラズマ／液晶ディスプレイ（ＬＣＤ）タイプのディスプレイ・システムの目的及び利点に加えて、本発明のいくつかの目的及び利点は、
（ａ）任意の場所で、取外し可能／取外し不能ＡＭＬＣＤ／ＬＣＤユニットを使用してテレビジョン放送番組を表示する方法を提供すること、
（ｂ）インターネット・ブラウザ機能付き携帯電話と共に使用するときに複数のセルラ・インターネット・ウェブ・コンテンツを表示する方法を提供すること、
（ｃ）ユーザがビデオ音楽を視聴することができるように、デジタル・ラジオ局が放送する音楽ビデオ（デジタル・オーディオ／ビデオ信号）を表示する方法を提供すること、
（ｄ）任意の場所で任意の時に、ユーザがポータブル・コンピュータ上で作業している間、テレビジョンを見、ラジオを聴く方法を提供すること、
（ｅ）携帯電話でデジタル・カメラ機能及び録音／再生機能を提供すること、
（ｆ）カメラ付き携帯電話で、画像ファイル及び録音されたサウンド・ファイル用の記憶システムを提供すること、
（ｇ）カメラ付き携帯電話で、画像ファイル及び録音されたサウンド・ファイルを別の同一の携帯電話ユーザとマルチメディア受信機システムとに一緒に送信するための送信機能を提供すること、
（ｈ）カメラ付き携帯電話で、画像ファイルと録音されたサウンド・ファイルの両方を受信するための受信機能を提供すること、及び
（ｉ）画像ファイル、録音されたサウンド・ファイル、及びデータ・ファイルをマルチメディア受信機システムに渡すための録音インターフェース・コネクタを提供することである。
上記及びその他の目的及び利点は、以下の図面及び好ましい実施例の詳細な説明に関連して、当業者には明らかとなるであろう。
【課題を解決するための手段】
【００１０】
ポータブル・コンピュータのＡＭＬＣＤ／ＬＣＤユニットが、メカニカル・ヒンジを使用して本体に取り付けられる。ポータブル・コンピュータを使用するために、ユーザは、ディスプレイ・システムを本体からはずすことによってディスプレイ・システムを開く。次いでユーザは、電源をオンにし、オペレーティング・システムが開始した後、ワード・プロセッシング・ソフトウェアを操作し、又はダイアルアップ電話回線又はローカル・エリア・ネットワークを使用してインターネットをブラウズする。
【００１１】
ディスプレイ・システムは、そのポータブル・コンピュータ内の高価な構成部品の１つである。しかし、ポータブル・コンピュータの価格は劇的に下がりつつある。しかし、消費者は、そのような高価なポータブル・コンピュータを使用することの十分な恩恵を受けていない。本発明の目的は、消費者が大きな利点及び機能のために低機能の１台のポータブル・コンピュータを購入する利点を活用できるように、恩恵を向上させ、高コスト構成部品をより広い機能範囲に広めることである。これを達成する一方式は、それを多機能ディスプレイ・システムとして使用することである。近年、高精細度テレビジョン（ＨＤＴＶ）及びデジタル・テレビジョン（ＤＴＶ）の売上げが、多くの電器店で上昇している。しかし、巨大なプラズマ・ディスプレイ・システムを作成するコストは非常に高いので、消費者へのＨＤＴＶ番組の実施及び適合が妨げられる。一方、ポータブル・コンピュータのディスプレイ・システムは、数百万のユニットが毎年製造されるので、製造コストが低くなりつつある。したがって、本発明は、ポータブル・コンピュータのディスプレイ・システムをエンターテイメント・ディスプレイ装置として使用することにより、そのような傾向を利用することができる。これは、ビデオや音声付きの音楽ビデオなどのマルチメディア情報を表示し、それをスクリーン状のテレビジョン・セットとして使用することによって達成可能である。したがって、ディスプレイ・システムをテレビジョン・モニタ及びその他のモニタリング装置として使用することにより、消費者にとっての経済的恩恵が高まり、経済的恩恵が消費者に返されることになる。
【００１２】
取り外されたディスプレイ・システムを使用することの別の利点は、インターネット・ブラウザが可能な携帯電話のためのモニタリング装置として使用することである。近年、ウェブ・ブラウジング機能やＥメール・アプリケーションなどのさらに多くの先進携帯電話機能が、携帯電話製品の多くで装備されている。ディスプレイ・システムをこうした携帯電話と接続することにより、すべての携帯電話で現在使用されている小型ＬＣＤ画面を使用するよりも非常に容易にインターネットをブラウズすることができる。
【００１３】
別の利点は、新しく発明されたカメラ付き録音／再生携帯電話をマルチメディア・システムと共に使用することである。大きいデジタル画像をカメラ付き携帯電話によって撮影した後、呼出し元は、各画像に関連する呼出し元のサウンドをカメラ付き携帯電話に記録し、カメラ付き携帯電話内部に格納し、後でこうした画像／サウンド・ファイルを一緒にマルチメディア・システムに送信することができる。
【００１４】
別の利点は、カメラ付き録音／再生機能携帯電話が、マルチメディア受信機システム上に取り付けられたコネクタを使用してマルチメディア受信機システムに接続され、それによって大きい画像ファイル、録音されたサウンド・ファイル、及びデータ・ファイルが転送され、マルチメディア・ディスプレイ・システム上で生成されることである。
【００１５】
さらに、マルチメディア受信機及び携帯電話システムを、どんな電器店でも入手可能な任意のスタンドアロン・プラズマ又はＬＣＤディスプレイ・システムと共に使用することの別の利点は、新しく発明されたカメラ付き録音／再生機能携帯電話によって送信された大きい画像を表示し、記録されたサウンドを再生できることである。
【００１６】
さらに、別の利点は、デジタル・ラジオ受信機のためにそれを使用することである。今日のデジタル・ラジオ放送局は、デジタル音楽及びビデオ画像を送信することができる。多くの消費者は、このマルチメディア・システムを使用することによって消費者のテレビジョン上で音楽ビデオを閲覧するので、閲覧者は、音楽ビデオを見、音楽を聴取することができる。
【００１７】
別の利点は、デジタル・ビデオ・ディスプレイ（ＤＶＤ）プレーヤと一緒にそれを使用することである。このディスプレイ・システム上のコネクタは、ビデオ産業で使用される標準信号インターフェースを有するからである。
【００１８】
上述の概念は、新しく実装され設計されたポータブル・コンピュータを購入することを考慮している消費者にとって良く、恩恵のあることのほんの一例に過ぎない。この新しく発明された機能を有するポータブル・コンピュータを購入することにより、購入コストが正当化される。消費者はＴＶセットとポータブル・コンピュータを同時に購入する必要がないからである。さらに、放送会社がＨＤＴＶを完全に放送する準備ができたとき、この新しく発明された取外し可能／取外し不能ディスプレイ・システムを、従来のアナログ・テレビジョン・モニタとは異なるＨＤＴＶモニタとして使用することができる。
【図面の簡単な説明】
【００１９】
【図１】テレビジョン、ラジオ、マルチメディア携帯電話システム、及びサテライト・システム用のマルチメディア受信機システムと接続された、取り外されたディスプレイ・システムの図である。
【図２】マルチメディア受信機システムの詳細な機能図を示す図である。
【図３】取外し可能マルチメディア・ディスプレイ・システム及びマルチメディア受信機システムがどのようにテレビジョン、ラジオ局、及びサテライト局と接続されるかを示す図である。
【図４】取外し可能マルチメディア・ディスプレイ・システム及び受信機がどのようにマルチメディア携帯電話システムと接続するかを示す図である。
【図５】取外し不能マルチメディア・ディスプレイ・システムを備える従来型マルチメディア・ポータブル・コンピュータ・システムが、どのようにテレビジョン局、ラジオ局、及びサテライト局によって送信された信号を受信する受信機と接続されるかについての方法を示す図である。
【図６】取外し不能マルチメディア・ディスプレイ・システムを備えるこの新しく発明されたマルチメディア・ポータブル・コンピュータ・システムで使用される複数のマルチプレクサ集積チップを使用するトグル回路を示す図である。
【図７】マルチメディア受信機システムと、スタンドアロン・プラズマ／ＬＣＤマルチメディア・ディスプレイ・システムと、インターネット・サービス・プロバイダを介してワールド・ワイド・ウェブ（ＷＷＷ）とに接続されたマルチメディア・カメラ付き録音／再生機能携帯電話システムを示す図である。
【図８】携帯電話基地局、インターネット・サービス・プロバイダ、及びＷＷＷに接続されたマルチメディア・カメラ付き録音／再生機能携帯電話システムを示す図である。
【図９】マルチメディア・カメラ付き録音／再生機能携帯電話システムの動作についての流れ図である。
【発明を実施するための最良の形態】
【００２０】
図１に、この新しく発明された取外し可能ディスプレイ・システム２１０がどのように新しく発明された受信機２００と接続されるかを示す。
【００２１】
従来のポータブル・コンピュータは、本体及びディスプレイ・システムを有する。複数のケーブルが、本体とディスプレイ・システムを内部で接続する。通常、こうしたケーブルは、ディスプレイ・システムと本体の間で内部に収容されるので、ユーザはこうしたケーブルを見ることはない。これはポータブル・コンピュータの利点である。このような機構及び柔軟なケーブルを有することにより、ポータブル・コンピュータを使用していないときにディスプレイ・システムを閉じることが可能となる。
【００２２】
取外し可能ディスプレイ・システム２１０を使用するには、内部ケーブル２７４及びメカニカル・ヒンジを切り離すことによって取外し可能ディスプレイ・システム２１０をポータブル・コンピュータ６０の本体から取り外した後、ディスプレイ・システム２１０が受信機２００に接続される。ディスプレイ・システム２１０と受信機２００を接続する信号ケーブル２８０が存在する。受信機２００は、サテライト局１０、テレビジョン／ラジオ・タワー局２０、及び携帯電話伝送タワー３０から、各局用の適切なアンテナ・タイプ２５０を有することによって信号を受信することができる。次いで受信機２００は、こうした局によって送信された信号を処理し、ディスプレイ・システム２１０に送る。取り外されたディスプレイ・システム２１０は、テレビジョン番組、音楽ビデオ、及びラジオ番組用の別個のディスプレイ・システムとして働き、閲覧者は、任意の場所で番組を視聴することができる。
【００２３】
従来型ポータブル・コンピュータ６０は、ダイアルアップ又は専用電話回線によってインターネット９０に接続し、各局のワールド・ワイド・ウェブ・データ・センタ１５及び２５で放送番組をチェックする。ユーザが、データ・センタ１５又は２５でユーザが見ることを望む好みの番組を見つけると、従来型ポータブル・コンピュータ６０をオフにする。次いで、ユーザは、ポータブル・コンピュータ６０の本体からディスプレイ・システム２１０を切り離し、ディスプレイ・システム２１０を受信機２００に接続する。放送局によって送信される好みの番組の閲覧及び選択は、図２の局部発振器２３３と破線の矢印２５２の一体部分であるチャネル・セレクタを調節することによって達成される。
【００２４】
マルチメディア・ディスプレイ・システム２１０は、インターネット・ブラウズ機能を有するマルチメディア・カメラ付き録音／再生機能携帯電話システム４０と共に動作することができる。装置４０上の小型ＬＣＤを使用する代わりに、電話ユーザは、外部信号ケーブル２８２を使用することにより、ディスプレイ・システム２１０及び受信機２００を使用してインターネットをブラウズすることができる。接続された後、ユーザが通常マルチメディア・カメラ付き録音／再生機能携帯電話システム４０のＬＣＤディスプレイを使用して行うのと同様に、ユーザは、マルチメディア・カメラ付き録音／再生機能携帯電話システム４０上のキーパッドを使用することによってインターネット９０をブラウズする。ウェブ・コンテンツをＬＣＤ上に表示させるのではなく、ディスプレイ・システム２１０上にウェブ・コンテンツが表示される。
【００２５】
図２に、受信機２００についての詳細な機能図を示す。これは、典型的なスーパーヘテロダイン受信機のブロック図である。２つの入力信号インターフェースと、１つの出力信号インターフェースが存在する。
【００２６】
第１入力信号はオーディオ／ビデオ信号からなり、アンテナ２５０を通じてＲＦ増幅器２３０に供給される。アンテナ２５０は、ホーム・テレビジョン・アンテナからサテライト・ディッシュ・アンテナまで、信号源に応じて様々なタイプを有する。ＲＦ増幅器２３０及び同調器２５２は、局部発振器２３３と図２の破線の矢印の一体部分であり、閲覧者が見たい放送局を選択する。
【００２７】
携帯電話信号に対する第２入力信号は、外部コネクタ２３５を介してビデオ検出器／増幅器２３６に供給される。信号ケーブル２８２は、外部コネクタ５０及び２３５を使用して、マルチメディア・カメラ付き録音／再生機能携帯電話システム４０と受信機２００を接続する。マルチメディア・カメラ付き録音／再生機能携帯電話システム４０からの信号は非変調信号であり、ＲＦ２３０及びＩＦ増幅器２３２を通る必要はない。
【００２８】
マルチメディア・カメラ付き録音／再生機能携帯電話システム４０は、ＬＣＤの物理的サイズの制限によりフル・グラフィック・ディスプレイ機能を有さないので、複数のＲＯＭメモリ２２８に格納されたネットスケープ・ソフトウェアやマイクロソフト・インターネット・エクスプローラ・ソフトウェアなどの組込みブラウザ・ソフトウェアが、そのような機能を提供することができる。受信機２００がマルチメディア・カメラ付き録音／再生機能携帯電話システム４０を介してフル・ウェブ・コンテンツを受信したとき、ＣＰＵ２２９がウェブ・コンテンツを検出する。Ｊａｖａアプリケーションなどの何らかのアプリケーションが受信機２００上で動作すべき場合、ＣＰＵ２２９がＪａｖａアプリケーション・ソフトウェアなどを実行することができる。
【００２９】
連邦通信委員会（ＦＣＣ）によって定義されるオーディオ信号とビデオ信号のどちらにとっても好ましいチャネルが、局部発振器２３３及び同調器２５２の正しい周波数を同調することによって選択される。同調器２５２は、アンテナ２５０及び局部発振器２３３からの着信周波数信号と正しい周波数を同調し、放送局についての正しい搬送周波数を検出する。
【００３０】
ビデオ検出器／増幅器２３６は、受信した信号を、複数のオーディオ／同期／ビデオ信号に分離する。オーディオ信号は第２中間周波数（ＩＦ）２４０に供給され、次いで周波数変調（ＦＭ）検出器２４２に供給され、サウンドが検出される。小さいサウンド信号が検出されると、それがオーディオ増幅器２４４を使用して増幅され、オーディオ増幅器２４４はスピーカ２４６に供給してオーディオ・サウンドを生成する。
【００３１】
同期セパレータ２２４を使用して同期信号を処理するとき、出力結果は２つの信号を有する。一方は水平（Ｈ）同期信号であり、他方は垂直（Ｖ）同期信号である。これらの信号はビデオ信号と共に使用され、ディスプレイ・システム２１０上に正しい画像が形成される。これらの信号はアナログであるので、ＡＭＬＧＤディスプレイ・システム２１０用に変換する必要がある。デジタル・エンコーダ２２６がこのプロセスを行う。
【００３２】
ビデオ検出器／増幅器２３６は、ビデオ信号を複数の輝度／色処理回路２３８に供給する。輝度／色処理回路２３８は、赤、緑、及び青の各信号を生成し、各信号はビデオ・グラフィック・コントローラ回路２１６に供給され、ディスプレイ・システム２１０のために処理される。
【００３３】
ビデオ・グラフィック・コントローラ２１６、複数のバッファ２１４、複数の赤／緑／青ドライバ２１３、及びその出力回路２０６が、任意のデジタル・ディスプレイ・システムに対して使用される標準出力ビデオ・ドライバ回路であり、すべてのパーソナル・コンピュータ・グラフィック・ディスプレイ・カードで使用される。
【００３４】
電源２６２は、第２コネクタ２０２及びプラグ・コネクタ２０４を通じて電力をディスプレイ・システム２１０及び受信機２００に供給する。ディスプレイ・システム２１０は、複数のピクセル、複数の電界効果トランジスタ（ＦＥＴ）、及びその他の受動素子を駆動するのにいくつかのＤＣ電圧を必要とする。電源は、通常はポータブル・コンピュータ６０によって供給される。ディスプレイ・システム２１０がポータブル・コンピュータ６０のメイン・ユニットから分離されるので、ディスプレイ・システム２１０をオンにするための別個の電源を必要とする。プラグ２６０はＡＣ電源又は自動車電源に接続することができる。
【００３５】
図３に、取り外されたディスプレイ・システム２１０及び受信機２００を使用して、サテライト１０及びラジオ／テレビジョン放送局２０から信号を受信する方法を示す。ディスプレイ・システム２１０が第１コネクタ２
７０から取り外される。第１コネクタ２７０は、それが取り外される前にはコネクタ２７２と接続する。ディスプレイ・システム２１０が本体６０と接続されるとき、コンピュータ６０が動作中に、信号２７４がディスプレイ・システム２１０とメイン・ユニット６０との間で転送される。信号源のタイプに応じて様々なアンテナ２５０が必要となる。サテライト放送を受信するためには、受信機２００に対してサテライト・ディッシュ・アンテナが使用され、一方音声／テレビジョン放送については、通常の室内テレビジョン・アンテナを使用することができる。
【００３６】
図４に、マルチメディア・カメラ付き録音／再生機能携帯電話システム４０及び受信機２００を使用して、インターネット・ウェブ・コンテンツ情報を得る方法を示す。インターネット・サービス・プロバイダ（ＩＳＰ）３５によって提供されるインターネット９０をブラウズする現在の方法は、マルチメディア・カメラ付き録音／再生機能携帯電話システム４０の数字キーパッドを使用する方法である。マルチメディア・カメラ付き録音／再生機能携帯電話システム４０上にグラフィカル情報を表示することは、携帯電話の物理的サイズによって制限される。ディスプレイ・システム２１０を有し、ディスプレイ・システム２１０をマルチメディア・カメラ付き録音／再生機能携帯電話システム４０に接続することにより、ブラウジング機能が可能となる。さらに、ディスプレイ・システム２１０がメインＣＰＵユニットから取り外されるので、別個の電源が必要である。
【００３７】
図５に、ユーザがポータブル・コンピュータ６０Ａを使用中に、どのように従来型ポータブル・コンピュータ６０を受信機２００に接続するかを示す。従来型ポータブル・コンピュータのディスプレイ・システム２１０Ａを取り外すことなく、又はポータブル・コンピュータ６０Ａの電源をオフにすることなく、受信機２００を、ポータブル・コンピュータ６０Ａのディスプレイ・システム２１０Ａの図２の第２コネクタ２０２に正しく接続することができる。ユーザはテレビジョンを見、又はラジオを聴取することができると共に、計算作業の動作が、ポータブル・コンピュータ６０Ａの事前定義されたキーをトグルすることによって中断されない。
【００３８】
図６に、図５に示した受信機２００と従来型ポータブル・コンピュータ６０を接続したときに使用される内部スイッチング回路を示す。マルチプレックス・チップ６０２は、受信機２００及び従来型ポータブル・コンピュータ６０のメイン・ユニットから、それぞれ複数の信号６０４及び６０６を受け取る。キーの対を組み合わせ、それを押下することにより、コマンド行６０８が可能となる。コマンドは、どの信号がデータ／ｓｙｎｃ線６００上に提示されるかに応じて、受信機２００とポータブル・コンピュータ６０のメイン・ユニットとの間で信号をトグルする。
【００３９】
図７に、マルチメディア受信機システム２００及び携帯電話基地局３０に接続されたマルチメディア・カメラ付き録音／再生機能携帯電話システム４０を示す。マルチメディア受信機システム２００は、スタンドアロン・プラズマ／ＬＣＤディスプレイ・システム３００に接続される。データ／同期線２８０は、マルチメディア受信機システム２００とスタンドアロン・プラズマ／ＬＣＤディスプレイ・システム３００との間を接続する。関連する録音されたサウンド・ファイルを伴う画像がマルチメディア・カメラ付き録音／再生機能携帯電話システム４０によって受信されたとき、マルチメディア受信機システム２００は、ウェブ・サーバ・ソフトウェアが常に動作しているので、こうしたファイルを自動的に認識する。大きな画像及び録音されたサウンド・ファイルがマルチメディア・カメラ付き録音／再生機能携帯電話システム４０によって受信されたとき、マルチメディア・カメラ付き録音／再生機能携帯電話システム４０のディスプレイは非常に小さいので、マルチメディア・カメラ付き録音／再生機能携帯電話システム４０はこうしたファイルを処理することができない。マルチメディア・カメラ付き録音／再生機能携帯電話システム４０をマルチメディア受信機システム２００に接続することにより、画像及び録音されたサウンドがマルチメディア受信機システム２００によって処理され、その出力がマルチメディア・プラズマ／ＬＣＤディスプレイ・システム３００上に表示される。
【００４０】
図８に、マルチメディア・カメラ付き録音／再生機能携帯電話システム４０が携帯電話基地局３０に接続され、携帯電話基地局３０も、携帯電話基地局３０から陸線電話回線を介してインターネット・サービス・プロバイダ３５に接続されることを示す。マルチメディア・カメラ付き録音／再生機能携帯電話システム４０は、携帯電話４０上に取り付けられたカメラ４２を使用して、どんなサイズの画像も撮影することができる。呼出し元はカメラ４２を使用して画像を撮影しながら、組込みマイクロフォンを使用して、その画像に関連するどんなサウンドも録音することができ、そのサウンドはマルチメディア・カメラ付き録音／再生機能携帯電話システム４０内に格納される。画像を格納した後、呼出し元は、こうした画像及びサウンド・ファイルをマルチメディア・カメラ付き録音／再生機能携帯電話システム４０に送ることができ、マルチメディア・カメラ付き録音／再生機能携帯電話システム４０は、マルチメディア受信機システム２００に接続し、それによってこうした画像及び録音されたサウンドが再生される。
【００４１】
図９に、マルチメディア・カメラ付き録音／再生機能携帯電話システム４０によって撮影される各画像について、どのように画像を撮影し、サウンドを録音するかについての流れ図を示す。まず、ユーザは、通常の電話モードからカメラ／サウンド・レディ・モード４００に切り換える。次いで、カメラ４２は画像を撮影する準備ができる。各画像を撮影するとき、マルチメディア・カメラ付き録音／再生機能携帯電話システム４０は、ユーザがさらに画像を撮影したいか否かについての質問４０４を尋ねる。ユーザ選択が「Ｙｅｓ」４１６を選択したとき、ユーザは、マルチメディア・カメラ付き録音／再生機能携帯電話システム４０のマイクロフォンを使用することにより、ユーザのサウンドを録音する準備ができる。「Ｎｏ」４１４を選択した場合、ユーザはさらに画像を撮影するか否かについての質問４０８を受ける。しかし、サウンドを録音した後、マルチメディア・カメラ付き録音／再生機能携帯電話システム４０は、ユーザがさらに画像を撮影したいか否かについての質問を尋ねる。ユーザが「Ｎｏ」４２０を選択した場合、マルチメディア・カメラ付き録音／再生機能携帯電話システム４０は、ファイル保存プロトコルを使用してすべてのファイルを保存し、カメラ／サウンド・モード４１２を終了する。ユーザが「Ｙｅｓ」４１８を選択した場合、ユーザは、カメラ付き録音／再生機能携帯電話システム４０を使用してさらに画像を撮影し、サウンドを録音することができる。
【００４２】
動作：図３、４、５、８
従来型ポータブル・コンピュータ６０を取外し可能ユニット２１０と共に使用するには、以下のようになる。所望のテレビジョン番組又は音楽ビデオ番組を見るには、まずユーザが、ダイアルアップ又はデジタル加入者線（ＤＳＬ）を使用してインターネット９０に接続し、各放送局で所望の番組及び時間表をブラウズする。インターネット９０を使用してすべての情報を得た後、メイン・ポータブル・コンピュータ６０の電源をオフにする。次いで、ユーザは、ポータブル・コンピュータ６０のメイン・ユニットからディスプレイ・システム２１０を切り離す。ディスプレイ・システム２１０を切り離した後、信号ケーブル２８０を用いてディスプレイ・システム２１０を受信機２００に接続する。次いで、受信機２００の同調器２５２を調節することによって所望のチャネルを選択する。表示モニタ２１０及び受信機２００は容易に移送可能であるので、ユーザは、ディスプレイ・システム２１０及び受信機２００を単に運ぶだけで、選択した番組を、車内、飛行機の中、家屋内の任意の場所などの任意の場所で見ることができる。
【００４３】
マルチメディア・カメラ付き録音／再生機能携帯電話システム４０を使用してインターネット９０をブラウズするには、サテライト・ディッシュ・アンテナや室内テレビジョン・アンテナ２５０を接続する代わりに、ユーザは単に、通常のウェブ・ブラウザ・オペレーションを使用してＩＳＰ３５を接続した後に、マルチメディア携帯電話システムからの信号ケーブル２８２を受信機２００に接続するだけでよい。このとき、すべてのウェブ・コンテンツがマルチメディア携帯電話システム上で閲覧される。したがって、マルチメディア携帯電話システム４０を受信機２００と接続することにより、ユーザは、マルチメディア携帯電話システム４０のＬＣＤディスプレイ・システム上のグラフィック・コンテンツよりも良好なグラフィック・コンテンツを見ることができ、インターネット上で使用可能な任意のワード・プロセッサ・ソフトウェアを使用してＥメールを別のユーザに送信することができる。
【００４４】
従来型ポータブル・コンピュータを取外し不能マルチメディア・ディスプレイ・システムと共に使用するには、以下のようになる。ユーザは単に、図５の信号線ケーブル２８０を第２コネクタ２０２に接続すると共に、ポータブル・コンピュータ６０の電源をオンにする。ポータブル・コンピュータ上にアプリケーション・ソフトウェアをインストールすることにより、複数のキーの組合せを選択し、その選択したキーを押下したときに選択コマンドを与えることが可能となる。この選択コマンドは、従来型ポータブル・コンピュータからの信号又は受信機２００からの信号の一方を選択する。そのときユーザは、１対の選択したキーをプリロードしたソフトウェアと共に使用して、信号６０４と６０６のどちらを表示することができるかについてディスプレイ・システムをトグルすることができる。
【００４５】
カメラ付き録音／再生機能携帯電話４０、マルチメディア受信機システム２００、及びスタンドアロン・プラズマ／ＬＣＤマルチメディア・ディスプレイ・システム３００を使用するために、マルチメディア携帯電話システム呼出し元は、任意のサイズの画像を撮影し、各画像に関連するサウンドを録音する。カメラ付き録音／再生機能マルチメディア携帯電話システム４０は、こうした画像を録音されたサウンド・ファイルと共に自動的に格納することができる。次いで、呼出し元は、別の同一のタイプの携帯電話ユーザに接続し、次いで呼出し元は、こうした格納した画像及び記録されたサウンド・ファイルを送信することができる。マルチメディア携帯電話システム受信機がこうしたファイルを受信した後、受信機は、コネクタ５０を使用してマルチメディア携帯電話システム４０に接続され、コネクタ２３５を使用してマルチメディア受信機システム２００に接続される。インターネット・ウェブ・ブラウザ・ソフトウェアを使用して、画像及びサウンド録音／再生ファイルが再生される。画像は、スタンドアロン・プラズマ／ＬＣＤディスプレイ・システム３００上に表示され、サウンドは、マルチメディア受信機システム２００の図２に示したスピーカ２４６を使用して生成される。
【００４６】
結論、分派、及びスクープ
したがって、読者は以下の利点を理解されよう。
・カメラ付き録音／再生機能携帯電話を共に使用して閲覧能力の向上が実現される。従来型ポータブル・コンピュータ・ディスプレイ・システム及び任意のスタンドアロン・プラズマ／ＬＣＤディスプレイ・システムの閲覧エリアは、マルチメディア携帯電話システムよりも広いからである。
・表示される各画像が、送信側のライブ・サウンドと共に説明されるので、閲覧能力の向上が実現される。
・従来型ポータブル・コンピュータの非活動構成要素が使用されていないとき、それに対してより多くの機能が提供される。この利点により、そのような高価な構成要素をテレビジョン／音楽ビデオ閲覧装置として使用することによってそのような高価な構成要素を有する恩恵が消費者に返される。
・ディスプレイ・システム及び受信機システムがポータブルであるので、閲覧位置のセットアップが容易である。閲覧者はそれを任意の場所に設定することができる。
・ＨＤＴＶ放送が完全に開始されたときにＨＤＴＶ閲覧機能が提供される。
【００４７】
上記の説明は多くの仕様を含むが、こうした仕様により本発明の範囲が限定されると解釈すべきではなく、単に本発明の現在好ましい実施形態の一部を例示するに過ぎない。
【００４８】
さらに、本発明の範囲は、上記で与えた例によってではなく、添付の特許請求の範囲及びその法的均等物によって決定されるべきである。
【図１】
2005514879.tif 000003
【図２】
2005514879.tif 000004
【図３】
2005514879.tif 000005
【図４】
2005514879.tif 000006
【図５】
2005514879.tif 000007
【図６】
2005514879.tif 000008
【図７】
2005514879.tif 000009
【図８】
2005514879.tif 000010
【図９】
2005514879.tif 000011
【国際調査報告】
2005514879.tif 000012